(57)【要約】【課題】  ホース先端に取り付けるブラシがどの方向にでも回転自在であり、また付け替えをすることなく、じゅうたん・床・畳はもちろんのこと、隙間や溝あるいは壁・天井・棚・桟等を掃除することができる電気掃除機ブラシを提供することにある。【解決手段】  掃除機本体から延びるホース１の先端にＴ字形の円筒ホルダ２のホース装着部２ａを接合パイプ５を介して３６０度回転自在に軸着すると共に、該装着部２ａと直交する円筒ホルダ２ｂで主ブラシ４と一体の吸引筒体３を９０度上下に回転自在に保持させた。また前記吸引筒体３の両側方にサイドブラシ１０を伸縮自在に各装着した。さらに前記吸引筒体３の下方に突設させた台座３ｃ底面の開口６と主ブラシ４の開口７とが連通するように該台座３ｃ底面と主ブラシ４上面を接合させて固定した。【選択図】  図１
2005198803.tif 000002
【特許請求の範囲】
【請求項１】
掃除機本体から延びるホース（１）の先端にＴ字形の円筒ホルダ（２）のホース装着部（２ａを接合パイプ（５）を介して３６０度回転自在に軸着すると共に、該装着部（２ａ）と直交する円筒ホルダ（２ｂ）で主ブラシ（４）と一体の吸引筒体（３）を９０度上下に回転自在に保持させたことを特徴とする電気掃除機ブラシ。
【請求項２】
前記吸引筒体（３）の両側方にサイドブラシ（１０）を伸縮自在に各装着したことを特徴とする請求項１記載の電気掃除機ブラシ。
【請求項３】
前記吸引筒体（３）の下方に突設させた台座（３ｃ）底面の開口（６）と主ブラシ（４）の開口（７）とが連通するように該台座（３ｃ）底面と主ブラシ（４）上面を接合させて固定したことを特徴とする請求項１記載の電気掃除機ブラシ。
【発明の詳細な説明】
【技術分野】
【０００１】
本発明は、どの方向にでも自在に回転でき、またブラシを付け替えすることなく殆どの場所を容易に掃除することができる電気掃除機ブラシに関する。
【背景技術】
【０００２】
家庭用電気掃除機のブラシは用途に応じて付け替えることの出来るようになっており、例えば、じゅうたんや床・畳を掃除するフロアブラシ、隙間や溝等を掃除するための先端が尖ったものや先端に毛がついたブラシ等がある。このものはその都度フロアブラシを取り外し、用途に合ったものに付け替えなければならないため、非常に面倒な上、作業を中断しなければならなかった。
【特許文献１】特開昭５５−１２０８２６号
【特許文献２】登録実用新案３００１５５０号
【発明の開示】
【発明が解決しようとする課題】
【０００３】
本発明は、ホース先端に取り付けるブラシがどの方向にでも回転自在であり、また付け替えをすることなく、じゅうたん・床・畳はもちろんのこと、隙間や溝あるいは壁・天井・棚・桟等を掃除することができる電気掃除機ブラシを提供することにある。
【課題を解決するための手段】
【０００４】
本発明は請求項１記載のように、掃除機本体から延びるホース１の先端にＴ字形の円筒ホルダ２のホース装着部２ａを接合パイプ５を介して３６０度回転自在に軸着すると共に、該装着部２ａと直交する円筒ホルダ２ｂで主ブラシ４と一体の吸引筒体３を９０度上下に回転自在に保持させたことを特徴とする。また請求項２記載のように、前記吸引筒体３の両側方にサイドブラシ１０を伸縮自在に各装着したことを特徴とする。さらに請求項３記載のように、前記吸引筒体３の下方に突設させた台座3ｃ底面の開口６と主ブラシ4の開口７とが連通するように該台座３ｃ底面と主ブラシ４上面を接合させて固定したことを特徴とする。
【発明の効果】
【０００５】
本発明の電気掃除機ブラシは、ホースに装着するブラシ部分をホースに対し、上下に９０度、左右に３６０度回転自在としたのでホースに対してブラシの向きをいろんな方向に変えて使用することができる。例えば、ホースを鉛直に立てた状態でブラシ部分が水平に３６０度回転するので、ブラシを縦方向に使って隙間を掃除するなど何処でも無理なく掃除することができる。また形状がコンパクトでしかも軽量であるので、例えばエアコンの上部や前面等の高所も下から容易に掃除できる。また伸縮するサイドブラシを伸ばして使用することにより、さらに狭い場所を奥まで掃除することができる。
【発明を実施するための最良の形態】
【０００６】
本発明を実施するための最良の形態を図面に基づき以下説明する。本発明の家庭用電気掃除機ブラシは、図１に示すように掃除機本体から延びるホース１の先端に嵌着されるＴ字形の円筒ホルダ２に主ブラシ４と一体の吸引筒体３を回転自在に保持させたものであって、該吸引筒体３は、図２に示すように中央の円筒部３ａと該円筒部３ａから両側方に上面円筒部を切り欠いて延設した半円筒部３ｂで構成される筒体になっている。そしてこの半円筒部３ｂの端部開口に図８に示す伸縮式のサイドブラシ１０を各差し込むようにしてある。また中央円筒部３ａより突出させたふたつの台座３ｃ底面に開口６を各設けて、この本体に装着される主ブラシ４の２箇所の開口７と連通するようにする。また中央円筒部３ａに円形の切り欠き穴8が設けられおり、図７に示すように前記Ｔ字形円筒ホルダ２内を吸引筒体３が上下に９０度回転したときにホース装着部２ａの穴を閉塞しないようになっている。
【０００７】
前記吸引筒体３に装着する主ブラシ４は、図５-Ａに示すようにその上面は平坦面となっており、その裏面は図５−Ｂに示すように外周壁で囲まれた凹面としており、その中央寄りに２箇所開口７を設けてある。そして前記吸引筒体3の台座３ｃに主ブラシ４の上面を当接させ、中央寄りの台座３ｃ底面の開口６と主ブラシ４の開口７とを接合させた状態で複数個のビス穴４ａにビスを通して締めこんで吸引筒体３と主ブラシ４を一体化する。
【０００８】
ホース先端に装着し、前記吸引筒体３の中央円筒部３ａを回動自在に保持するＴ字形円筒ホルダ２は、図３に示すようにＴ字形の円筒を半割とした上ホルダ２１と下ホルダ２２とから構成されヒンジ２３で結合したものであって、ホース装着部２ａがホース先端に接合パイプ５を介して挿通保持され、ホース装着部２ａと直交する円筒状のホルダ部２ｂで前記吸引筒体３を保持するようになっている。また上ホルダ２１と下ホルダには四角形の切欠き穴２５を２箇所各設けてあり、上ホルダ２１と下ホルダ２２とを接合したときに上下に９０度＋台座３ｃの幅ほどの角穴２６としてある。そしてこの角穴２６内に前記台座３ｃが臨んでいるので吸引筒体３が回転したときに台座３ｃが角穴２６壁に当接して９０度で回転を規制する。
【０００９】
かかる部材で構成される本発明の掃除機ブラシを掃除機ホースに装着する場合は以下の手順で行う。
１． 上ホルダ２１と下ホルダ２２を開いた状態で下ホルダ２２の円筒部２ｂに吸引筒体３を嵌め込む。
２． ホース１の先端１ａに接合パイプ５を挿入した後、これをホルダ２のホース装着部２ａに嵌め込む。
３． 上ホルダ２１と下ホルダ２２を閉じて接合部に設けた８箇所のビス穴２４にビスを通して締めこむ。
かくして図４のようにホース１先端に接合パイプ５、円筒ホルダ２、吸引筒体３が組み込まれ、図６のようにホルダ２が吸引筒体３を９０度回転可能なように保持することとなる。この際、吸引筒体３とホルダ２の嵌め込みは力がかかった時に動く程度として容易に回転しないものとしてある。また吸引筒体３の内径は３ｃｍとし、材質は硬質な樹脂とする。
【００１０】
本発明の電気掃除機ブラシは、吸引筒体３と一体の吸引ブラシ４が円筒ホルダ２に保持されて図６に示すように上下に９０度回転自在であり、またホース１に嵌め込まれるＴ字形ホルダ２のホース装着部２ａが接合パイプ５を介してホース１に軸保持されているので３６０度スムーズに回転自在となる。例えば、ホースを鉛直に立てた状態でブラシ部分が水平に３６０度回転するので、ブラシを縦方向に使って隙間を掃除するなど何処でも無理なく掃除することができる。またホース１は物に当たった時の緩衝のため２０度位の角度に曲がり復元力のあるものを使用する。
【００１１】
また細かな配慮として、図５−Ｂに示すように主ブラシ４の周壁には１ｍｍほど突き出し先端を丸めた突起１１が６箇所に設けられ、両端近傍には同じく１ｍｍ突き出るようにブリッジ１２が設けられている。また主ブラシ４の下端と接地面が１．５ｍｍほど離隔するように四隅にキャスター１３を設け、どの方向にも移動できるようにしてある。さらにじゅうたんの逆目にブラシがくい込んで移動しずらくなるのを防止するために、ブリッジ１２に併設して可動式ブリッジ１４を設ける。可動式ブリッジ１４は鋼線を硬質の樹脂で被覆し、直径２ｍｍにしたものを使用する。可動式ブリッジ１４を立てることにより主ブラシ４の下端と接地面との離隔が３ｍｍになるようにしてある。主ブラシ４の縁回りの下端は段差等に引っかかるのを回避できるように大きなＲをかける。主ブラシ４は縦４２ｍｍ、横２６０ｍｍ、高さ８ｍｍとし、吸込み口７の開口面積は1箇所当たり２ｃｍ２とする。
【図面の簡単な説明】
【００１２】
【図１】本発明に係る家庭用電気掃除機ブラシの斜視図である。
【図２】吸引筒体及び接合パイプの斜視図である。
【図３】Ｔ字形ホルダの斜視図である。
【図４】図１のＢ−Ｂ線断面図である。
【図５】主ブラシの斜視図である。
【図６】図１のＣ−Ｃ線断面図である。
【図７】図１のＡ−Ａ線断面図である。
【図８】サイドブラシの斜視図である。
【符号の説明】
【００１３】
１  掃除機ホース
２  Ｔ字形円筒ホルダ
２１  上ホルダ
２２  下ホルダ
２３  ヒンジ
２４  ビス穴
２５  四角形の切欠き穴
２６  角穴
３  吸引筒体
４  主ブラシ
５  接合パイプ
６  吸引筒体の開口
７  主ブラシの開口
８  吸引筒体の切り欠き穴
１０  伸縮式のサイドブラシ
１１  突起
１２  ブリッジ
１３  キャスタ
１４  可動式ブリッジ
【図１】
2005198803.tif 000003
【図２】
2005198803.tif 000004
【図３】
2005198803.tif 000005
【図４】
2005198803.tif 000006
【図５】
2005198803.tif 000007
【図６】
2005198803.tif 000008
【図７】
2005198803.tif 000009
【図８】
2005198803.tif 000010